(57)【要約】【課題】器具本体の重量バランスを調整するための部品を不要として部品点数の削減によるコストダウンを図る。【解決手段】器具本体１の内部には、点灯回路を構成する部品が実装された回路基板４と、回路基板４と器具本体１との間に介装されて回路基板４に実装される部品や導電パターンと器具本体１の絶縁距離を確保する絶縁部材５とが収納される。絶縁部材５は、器具本体１における電源コード１０によって吊り下げられる位置を挟んでソケット８と反対側の位置、つまり支持ばね１４の近傍に配置される。したがって、絶縁部材５の重量で器具本体１の重量バランスをとって器具本体１を水平に保つことができ、絶縁部材５で重量バランスを調整するため、従来の重りが不要となって部品点数の削減によるコストダウンが図れる。【選択図】　　　　図１
2004095368.tif 000002
【特許請求の範囲】
【請求項１】
天井から電源コードにより吊設される吊り下げ形照明器具であって、ランプが着脱自在に装着されるソケットと、ランプを点灯する点灯回路が実装された回路基板と、ソケットが取り付けられるとともに内部に点灯回路が収納される金属製の器具本体と、器具本体と回路基板の間に介装されて器具本体から点灯回路を絶縁する合成樹脂製の絶縁部材と、器具本体の上面に設けられ電源コードの余長部位を内部に収容するとともに電源コードに支持されるコードカバーとを備え、器具本体における電源コードによって吊り下げられる位置を挟んでソケットと反対側の位置に絶縁部材を配置したことを特徴とする吊り下げ形照明器具。
【請求項２】
金属製の重りが適宜収納可能な収納部を絶縁部材に設けたことを特徴とする請求項１記載の吊り下げ形照明器具。
【請求項３】
コードカバーの下端縁に嵌合片を設けるとともに器具本体上面と略平行な面内でコードカバーを回転させることによりコードカバーの嵌合片が嵌合する嵌合部を器具本体の上面より突設してなり、器具本体上面に設けた窓孔を通して器具本体外に進退自在に突出し器具本体外に突出した状態において嵌合部に嵌合した嵌合片が反嵌合方向に移動するのを規制する規制部を絶縁部材に設けたことを特徴とする請求項１又は２記載の吊り下げ形照明器具。
【請求項４】
点灯回路をオン・オフするスイッチ並びに電源コードが接続される電源コネクタを具備するスイッチブロックを備え、回路基板の下面に実装したコネクタとスイッチブロックの上面に設けたコネクタを接続してスイッチ及び電源コードを点灯回路と接続してなり、回路基板上面のコネクタに対向する位置又はその近傍に当接して回路基板を支持する突起を絶縁部材に設けたことを特徴とする請求項１又は２又は３記載の吊り下げ形照明器具。
【発明の詳細な説明】
【０００１】
【発明の属する技術分野】
本発明は、天井から電源コードにより吊設される吊り下げ形照明器具に関するものである。
【０００２】
【従来の技術】
従来、天井から電源コードにより吊設される吊り下げ形照明器具は、点灯回路を実装した回路基板が絶縁部材を介して金属製の器具本体内に収容されており、器具本体上面に装着されるコードカバー内に電源コードの余長部位を収納するとともに電源コードにコードカバーを支持させることで器具本体が吊設されていた（特開平５−３０７９０８号公報参照）。
【０００３】
【発明が解決しようとする課題】
ところで、器具本体にはランプが着脱自在に装着されるソケットが設けられるが、このソケットやソケットに装着されるランプの口金等により重量バランスが崩れて器具本体を水平に保つことができなくなる虞があった。そのために従来は、金属製の重りを器具本体内に収納し、重りによって重量バランスを調整することで器具本体を水平に保つようにしていた。しかしながら、このような重りを用いると部品点数の増加によるコスト上昇を招くという問題があった。
【０００４】
本発明は上記事情に鑑みて為されたものであり、その目的は、器具本体の重量バランスを調整するための部品を不要として部品点数の削減によるコストダウンを図った吊り下げ形照明器具を提供することにある。
【０００５】
【課題を解決するための手段】
請求項１の発明は、上記目的を達成するために、天井から電源コードにより吊設される吊り下げ形照明器具であって、ランプが着脱自在に装着されるソケットと、ランプを点灯する点灯回路が実装された回路基板と、ソケットが取り付けられるとともに内部に点灯回路が収納される金属製の器具本体と、器具本体と回路基板の間に介装されて器具本体から点灯回路を絶縁する合成樹脂製の絶縁部材と、器具本体の上面に設けられ電源コードの余長部位を内部に収容するとともに電源コードに支持されるコードカバーとを備え、器具本体における電源コードによって吊り下げられる位置を挟んでソケットと反対側の位置に絶縁部材を配置したことを特徴とする。
【０００６】
請求項２の発明は、請求項１の発明において、金属製の重りが適宜収納可能な収納部を絶縁部材に設けたことを特徴とする。
【０００７】
請求項３の発明は、請求項１又は２の発明において、コードカバーの下端縁に嵌合片を設けるとともに器具本体上面と略平行な面内でコードカバーを回転させることによりコードカバーの嵌合片が嵌合する嵌合部を器具本体の上面より突設してなり、器具本体上面に設けた窓孔を通して器具本体外に進退自在に突出し器具本体外に突出した状態において嵌合部に嵌合した嵌合片が反嵌合方向に移動するのを規制する規制部を絶縁部材に設けたことを特徴とする。
【０００８】
請求項４の発明は、請求項１又は２又は３の発明において、点灯回路をオン・オフするスイッチ並びに電源コードが接続される電源コネクタを具備するスイッチブロックを備え、回路基板の下面に実装したコネクタとスイッチブロックの上面に設けたコネクタを接続してスイッチ及び電源コードを点灯回路と接続してなり、回路基板上面のコネクタに対向する位置又はその近傍に当接して回路基板を支持する突起を絶縁部材に設けたことを特徴とする。
【０００９】
【発明の実施の形態】
以下、図１〜図９を参照して本発明の実施形態を詳細に説明する。
【００１０】
金属製の器具本体１は下面が開口する有底の短円筒形であって、開口端縁には外鍔１ａが形成されており、下面開口が金属製の本体カバー２によって閉塞される。本体カバー２は器具本体１と同様に上面が開口するとともに開口端縁に外鍔２ａが設けられた有底の短円筒形に形成されており、外鍔１ａ，２ａ同士を当接してねじ止め等の適宜の手段で器具本体１に取り付けられる（図３参照）。器具本体１の内部、すなわち器具本体１と本体カバー２によって形成される空間には、環形の蛍光ランプ３Ａ，３Ｂ並びに後述する豆球９を点灯するための点灯回路を構成する部品が実装された回路基板４と、回路基板４と器具本体１との間に介装されて回路基板４に実装される部品や導電パターンと器具本体１の絶縁距離を確保する絶縁部材５とが収納される。
【００１１】
回路基板４は矩形のプリント配線板からなり、図１に示すように略中央にはスイッチブロック６を取り付けるための取付孔４ａが形成されている。また、回路基板４の一端側からは各一対の電線７が引き出されており、これら一対の電線７の先端には蛍光ランプ３Ａ，３Ｂの口金（図示せず）と着脱自在に接続されるソケット８が取り付けられている。
【００１２】
スイッチブロック６は、点灯回路による蛍光ランプ３Ａ，３Ｂ並びに豆球９の点灯・消灯を切り換えるスイッチと、電源コード１０の下端に取り付けられた電源コネクタ１０ａが差込接続される受け側の電源コネクタ６ａと、スイッチ及び電源コネクタ６ａを点灯回路に接続するためのコネクタ６ｂと、豆球９が装着される豆球用のソケット６ｅ（図４参照）とが合成樹脂製のハウジング６ｃに収納されてなり、ハウジング６ｃを上下方向に貫通する一対のねじ挿通孔６ｄに下方から挿通した固定ねじ１１を器具本体１の底面に設けた一対のねじ孔１ｂに螺合することで器具本体１に固定される。また、図２及び図４に示すようにハウジング６ｃの下面中央にはスイッチを操作するための操作片６ｆが、本体カバー２の底面中央に設けられた挿通孔２ｂを通して下方へ突出させてあり、この操作片６ｆに接続された引き紐１２を引き操作することにより、蛍光ランプ３Ａ，３Ｂ及び豆球９を点灯・消灯させることができる。また、本体カバー２底面の挿通孔２ｂ近傍にはスイッチブロック６のソケット６ｅに装着される豆球９を露出させる露出窓２ｃが設けてある。なお、回路基板４の取付孔４ａ近傍にはスイッチブロック６のコネクタ６ｂと接続する受け側のコネクタ４ｂが実装されており、スイッチブロック６を器具本体１に固定する際にコネクタ６ｂと受け側のコネクタ４ｂが接続されるようになっている。ここで、器具本体１の底面中央には取付孔４ａに対応する矩形の開口窓１ｃが形成されており、この開口窓１ｃを通してスイッチブロック６の電源コネクタ６ａが器具本体１の上面に露出させてある（図３参照）。
【００１３】
図２に示すように、器具本体１の端部には合成樹脂成型品からなるソケットカバー１３が取り付けられている。ソケットカバー１３は器具本体１に固定される主部１３ａと、主部１３ａから二股に分かれて側方へ突出する一対の腕部１３ｂと、各腕部１３ｂの先端に設けられて蛍光ランプ３Ａ，３Ｂを把持する把持部１３ｃとを有し、主部１３ａ並びに腕部１３ｂの内部に電線７が挿通されるとともに把持部１３ｃの腕部１３ｂとの連結部位からソケット８の先端部が露出されている。すなわち、蛍光ランプ３Ａ，３Ｂの口金をソケット８に接続した状態でソケットカバー１３の把持部１３ｃに蛍光ランプ３Ａ，３Ｂが把持されることになる。なお、本体カバー２の端部にはソケットカバー１３に対応する切り欠き溝（図示せず）が形成されており、この切り欠き溝を通してソケットカバー１３が器具本体１及び本体カバー２の外側へ突出させてある。
【００１４】
一方、本体カバー２の外鍔２ａにおけるスイッチブロック６を挟んでソケットカバー１３と反対側の位置には蛍光ランプ３Ａ，３Ｂを支持する支持ばね１４がねじ止めによって取り付けられている。つまり、この支持ばね１４とソケットカバー１３の把持部１３ｃとで蛍光ランプ３Ａ，３Ｂが器具本体１に保持されることになる。
【００１５】
絶縁部材５は、図５に示すように略し字形の底板５ａと、底板５ａの周縁より全周に渡って上方へ突出した周壁５ｂとが絶縁性を有する合成樹脂によって一体に形成されてなる。絶縁部材５の一端部には、周壁５ｂから上方並びに側方へ突出し、器具本体１の底面に設けられた係止孔１ｄに挿入係止する係止片５ｃが突設されている。また、絶縁部材５の底板５ａの略中央部には、下面側に開口した有底円筒形のボス部５ｄが上方へ突設され、ボス部５ｄの中央にはねじ挿通孔５ｅが貫設されている。すなわち、器具本体１の係止孔１ｄに係止片５ｃを挿入係止するとともにねじ挿通孔５ｅに挿通した固定ねじ１５を器具本体１の底面に形成されたねじ孔１ｅに螺合することで絶縁部材５が器具本体１に固定される。ここで、絶縁部材５は、器具本体１における電源コード１０によって吊り下げられる位置（＝開口窓１ｃの位置）を挟んでソケット８（ソケットカバー１３）と反対側の位置、つまり支持ばね１４の近傍に配置される（図１及び図３参照）。このように器具本体１におけるソケット８と反対側の位置に絶縁部材５を配置することにより、絶縁部材５の重量で器具本体１の重量バランスをとって器具本体１を水平に保つことができ、絶縁部材５で重量バランスを調整するため、従来の重りが不要となって部品点数の削減によるコストダウンが図れる。なお、絶縁部材５は底板５ａと周壁５ｂで囲まれた空間（収納部）５ｆを有しており、図１に示すように必要に応じて従来と同様に重り１６を使って重量バランスを調整することも可能であって、しかも、重り１６を使う場合でも絶縁部材５に設けた収納部５ｆに重り１６を収納すればよいから調整が簡単に行えるという利点がある。
【００１６】
また、絶縁部材５の底板５ａには、図４及び図５に示すように回路基板４に実装されている受け側のコネクタ４ｂと対向する位置に下方へ突出する略円錐台形の突起５ｍが突設されている。すなわち、器具本体１に絶縁部材５を取り付けて器具本体１の内部に回路基板４が収納された状態では、絶縁部材５の突起５ｍが回路基板４の上面における受け側のコネクタ４ｂに対向する位置の近傍に当接して支持しているから、スイッチブロック６を回路基板４に取り付ける際に突起５ｍによって回路基板４の撓みを抑えることができ、両者のコネクタ６ｂ，４ｂ同士が容易に接続できてコネクタ６ｂ，４ｂの接続不良の発生が防止できるものである。
【００１７】
ところで、図１に示すように器具本体１の上面には電源コード１０の余長部位を内部に収容するとともに電源コード１０に支持される金属製のコードカバー１７が着脱自在に取り付けられる。コードカバー１７は底面（下面）が開口する略円錐台形に形成され、天面（上面）には電源コード１０を導入するための丸孔１７ａが設けてある。図７に示すように電源コード１０の一端部は引掛シーリングキャップ１８と接続され、他端部には既に説明したように電源コネクタ１０ａが接続され、さらに引掛シーリングキャップ１８と電源コネクタ１０ａの間にコードアジャスタ１９が外挿されている。このコードアジャスタ１９は従来周知であって、電源コード１０の任意の位置に固定することが可能である。したがって、コードカバー１７の丸孔１７ａにコードアジャスタ１９を嵌合固定し、電源コード１０に対するコードアジャスタ１９の固定位置を変えることで引掛シーリングキャップ１８から器具本体１までの距離を調整することができ、調整によって余った電源コード１０の余長部位がコードカバー１７内に収納されるようになっている。
【００１８】
次に、コードカバー１７を器具本体１の上面に着脱自在に取り付けるための取付構造について説明する。
【００１９】
図１に示すようにコードカバー１７の下端縁には外側に突出する複数（本実施形態では３つ）の嵌合片１７ｂがほぼ等間隔に設けられている。一方、器具本体１の上面には、コードカバー１７の各嵌合片１７ｂが嵌合する複数（本実施形態では３つ）の嵌合部１ｆが突設されている。これらの嵌合部１ｆは、器具本体１の底面を切り起こして折曲することにより断面形状が略鉤形で全体が略円弧状に形成され、一端側が開放し他端側が閉塞されている。すなわち、器具本体１の上面と略平行な面内でコードカバー１７を回転させることにより、コードカバー１７の嵌合片１７ｂが器具本体１の嵌合部１ｆの開放した端部から挿入され、図３に示すように嵌合片１７ｂと嵌合部１ｆが嵌合して器具本体１にコードカバー１７が固定される。また、器具本体１に固定されたコードカバー１７を反対向きに回転すれば、コードカバー１７の嵌合片１７ｂが開放した端部から嵌合部１ｆの外へ退出して嵌合片１７ｂと嵌合部１ｆの嵌合が外れ、コードカバー１７を器具本体１から取り外すことができる。
【００２０】
ここで、コードカバー１７が不用意に回転して嵌合片１７ｂと嵌合部１ｆの嵌合が外れてしまうと電源コード１０の下端に接続されている電源コネクタ１０ａ及びスイッチブロック６の電源コネクタ６ａに器具本体１や蛍光ランプ３Ａ，３Ｂを含む器具の荷重がかかり、最悪の場合には電源コネクタ１０ａ，６ａが外れて器具が落下してしまう虞がある。そのために本実施形態では、器具本体１の上面に設けた窓孔１ｇを通して器具本体１の外に進退自在に突出し、器具本体１の外に突出した状態において嵌合部１ｆに嵌合した嵌合片１７ｂが反嵌合方向に移動するのを規制する規制部５ｇを絶縁部材５に設けている。
【００２１】
規制部５ｇは、図５及び図６に示すように全体が略矩形箱形であって、一端側で絶縁部材５に片持ち支持されて上下方向（絶縁部材５の底板５ａを貫通する方向）に撓み自在に形成された撓み片５ｈの先端部から上方へ突設されている。また、規制部５ｇの上面には操作時における滑り止めとして複数の突条５ｉが列設され、規制部５ｇの上面から側面にかけては外側に向かって下方へ傾斜する傾斜面５ｊが形成されている（図５（ｂ）参照）。さらに、規制部５ｇの裏面（下面）には、回路基板４に当接することで撓み片５ｈの撓み量を規制するためのリブ５ｋが下方へ突設されている。したがって、絶縁部材５を器具本体１に取り付けた状態では器具本体１の上面に設けた窓孔１ｇから規制部５ｇが突出し、突条５ｉの部分を指で押すと撓み片５ｈが撓んで規制部５ｇが窓孔１ｇを通して器具本体１の中へ進入し、指を離せば撓み片５ｈが元の状態に復帰して規制部５ｇが窓孔１ｇから器具本体１の外へ突出することになる。
【００２２】
而して、器具本体１の上面と略平行な面内でコードカバー１７を回転させると、図８に示すようにコードカバー１７の嵌合片１７ｂが窓孔１ｇから突出している規制部５ｇの傾斜面５ｊに摺接して規制部５ｇに下向きの力が作用し、この力で撓み片５ｈが下方に撓んで規制部５ｇが窓孔１ｇを通して器具本体１の中へ進入するから、嵌合片５ｇが器具本体１の嵌合部１ｆの開放した端部から挿入されて嵌合片１７ｂと嵌合部１ｆが嵌合して器具本体１にコードカバー１７が固定される。そして、嵌合片１７ｂが嵌合部１ｆと嵌合した状態では嵌合片１７ｂによる上記下向きの力が作用しなくなるから、図９に示すように撓み片５ｈが元の状態に復帰して規制部５ｇが窓孔１ｇから器具本体１の外へ突出し、嵌合部１ｆの開放した端部から突出している嵌合片１７ｂに規制部５ｇが当接し、嵌合部１ｆに嵌合した嵌合片１７ｂの反嵌合方向への移動が規制される。このように絶縁部材５に設けた規制部５ｇによって器具本体１の嵌合部１ｆに嵌合したコードカバー１７の嵌合片１７ｂが反嵌合方向に移動するのを規制することによって、嵌合部１ｆと嵌合片１７ｂとの嵌合状態が外れて器具本体１からコードカバー１７が脱落するのを防ぐことができる。また、突条５ｉの部分を指で押して規制部５ｇを窓孔１ｇから器具本体１の中へ進入させれば、規制部５ｇによる規制が解除されてコードカバー１７を反対方向に回転させて嵌合部１ｆと嵌合片１７ｂの嵌合を外し、コードカバー１７を器具本体１から取り外すことができる。ここで、規制部５ｇの下面にリブ５ｋを設けているから、規制部５ｇに下向きの力が作用して撓み片５ｈが撓んだときにリブ５ｋの先端が回路基板４に当接して撓み片５ｈの撓み量が規制され、撓み片５ｈが塑性変形するのを防ぐことができる。
【００２３】
なお、図２に示すように器具本体１にはセード２０が取り付けられる。このセード２０は上面及び下面が開口する椀形に形成され、上面開口の周縁を器具本体１の外鍔１ａ上に載置することで器具本体１に取り付けられる。
【００２４】
【発明の効果】
請求項１の発明は、天井から電源コードにより吊設される吊り下げ形照明器具であって、ランプが着脱自在に装着されるソケットと、ランプを点灯する点灯回路が実装された回路基板と、ソケットが取り付けられるとともに内部に点灯回路が収納される金属製の器具本体と、器具本体と回路基板の間に介装されて器具本体から点灯回路を絶縁する合成樹脂製の絶縁部材と、器具本体の上面に設けられ電源コードの余長部位を内部に収容するとともに電源コードに支持されるコードカバーとを備え、器具本体における電源コードによって吊り下げられる位置を挟んでソケットと反対側の位置に絶縁部材を配置したことを特徴とし、器具本体における電源コードによって吊り下げられる位置を挟んでソケットと反対側の位置に絶縁部材を配置することで器具本体の重量バランスをとって器具本体を水平に保つことができる。すなわち、器具本体と回路基板の間に介装されて器具本体から点灯回路を絶縁する合成樹脂製の絶縁部材で重量バランスを調整するため、従来の重りが不要となって部品点数の削減によるコストダウンが図れる。
【００２５】
請求項２の発明は、請求項１の発明において、金属製の重りが適宜収納可能な収納部を絶縁部材に設けたことを特徴とし、必要に応じて従来と同様に重りを使って重量バランスを調整することも可能であり、しかも、重りを使う場合でも絶縁部材に設けた収納部に重りを収納すればよいから調整が簡単に行える。
【００２６】
請求項３の発明は、請求項１又は２の発明において、コードカバーの下端縁に嵌合片を設けるとともに器具本体上面と略平行な面内でコードカバーを回転させることによりコードカバーの嵌合片が嵌合する嵌合部を器具本体の上面より突設してなり、器具本体上面に設けた窓孔を通して器具本体外に進退自在に突出し器具本体外に突出した状態において嵌合部に嵌合した嵌合片が反嵌合方向に移動するのを規制する規制部を絶縁部材に設けたことを特徴とし、絶縁部材に設けた規制部によって器具本体の嵌合部に嵌合したコードカバーの嵌合片が反嵌合方向に移動するのを規制することにより、嵌合部と嵌合片との嵌合状態が外れて器具本体からコードカバーが脱落するのを防ぐことができる。
【００２７】
請求項４の発明は、請求項１又は２又は３の発明において、点灯回路をオン・オフするスイッチ並びに電源コードが接続される電源コネクタを具備するスイッチブロックを備え、回路基板の下面に実装したコネクタとスイッチブロックの上面に設けたコネクタを接続してスイッチ及び電源コードを点灯回路と接続してなり、回路基板上面のコネクタに対向する位置又はその近傍に当接して回路基板を支持する突起を絶縁部材に設けたことを特徴とし、絶縁部材に設けた突起で回路基板上面のコネクタに対向する位置又はその近傍を支持しているから、スイッチブロックを回路基板に取り付ける際に回路基板の撓みを抑えて両者のコネクタ同士が容易に接続できてコネクタの接続不良の発生が防止できる。
【図面の簡単な説明】
【図１】実施形態を示す一部省略した分解斜視図である。
【図２】同上の断面図である。
【図３】同上におけるコードカバーを外した状態の上面図である。
【図４】同上の一部省略した下面図である。
【図５】同上における絶縁部材を示し、（ａ）は上面図、（ｂ）は側面図、（ｃ）は下面図である。
【図６】同上における絶縁部材の要部を示し、（ａ）は図５におけるＡ−Ａ線断面矢視図、（ｂ）は図５におけるａ−ａ線断面矢視図である。
【図７】同上における電源コードの平面図である。
【図８】コードカバーを器具本体に取り付ける取付作業の説明図である。
【図９】コードカバーを器具本体に取り付ける取付作業の説明図である。
【符号の説明】
１　器具本体
４　回路基板
５　絶縁部材
６　スイッチブロック
７　電線
８　ソケット
１０　電源コード
１７　コードカバー
【図１】
2004095368.tif 000003
【図２】
2004095368.tif 000004
【図３】
2004095368.tif 000005
【図４】
2004095368.tif 000006
【図５】
2004095368.tif 000007
【図６】
2004095368.tif 000008
【図７】
2004095368.tif 000009
【図８】
2004095368.tif 000010
【図９】
2004095368.tif 000011